(57)【特許請求の範囲】
【請求項１】
電線ケーブルなどの長尺物を保持する合成樹脂製の保持手段と、金属製クリップ等の嵌着手段とを備えた配線クランプであって、前記保持手段と前記嵌着手段は係止手段により一体化し、前記嵌着手段は形鋼等のフレームに嵌着することにより位置決めされ、前記保持手段は、電線ケーブルなどの長尺物を囲うような形状であり、かつ電線ケーブルなどの長尺物が嵌着手段の金属部に接することを回避する位置になるように形成された固定部を有し、前記固定部の側面からは係止突起部が延出し、前記係止突起部は弾性を有する係止爪を有し、前記嵌着手段には嵌着手段における基準となる平板部を有し、前記係止手段は前記平板部の面に山型状に突出形成され、前記山型状の側面が開口した係止孔を有し、前記係止孔に前記係止爪が嵌り込むことにより係止される構成であり、前記平板部の面の裏側には突起物が出ない構造を有し、前記係止爪の弾性を利用し前記係止孔から前記係止突起部を離脱させるように力を加えることにより前記保持手段を外すことが可能となる構造としたことを特徴とする金属クリップ付樹脂製配線クランプ。
【請求項２】
前記嵌着手段には形鋼等のフレームから離脱する方向に作用する力に対して抗するように作用する逆止突起を有し、前記逆止突起は複数から成り且つ、それぞれ突起の高さ、および形鋼等のフレームに接する際の角度を違えて構成された一組以上の逆止突起からなる請求項１記載の金属クリップ付樹脂製配線クランプ。
【発明の詳細な説明】
【技術分野】
【０００１】  本発明は形鋼等のフレームに沿って電線ケーブル等を配線する際、このフレームに支持取付けする金属クリップ付樹脂製配線クランプに関するものである。
【背景技術】
【０００２】  太陽光発電施設やビル、工場、住宅などの建造物においてＬ字の形鋼などのフレームが設置されている場合、前記フレームの長手方向に沿って電源ケーブルや通信ケーブル等を敷設することが行われている。これらケーブルを形鋼等のフレームに固定支持するために、従来はケーブル支持金具（特許文献１参照）が用いられている。この従来のケーブル支持金具は図８に示すように取付部とケーブル抱持部が一体形状に構成されている。前記取付部によって形鋼を挟むように取付けられ、ケーブルを敷設する際はケーブル抱持部の端部を持ち上げながらケーブルを定位置に押し込み、持ち上げ力を取り去ることで復元し、ケーブルを保持している。また他の従来の方法として長尺物支持具（特許文献２参照）が用いられている。この従来の長尺物支持具は図９に示すように形鋼に取り付く長尺物支持具本体にケーブルとともに結束バンドで締め付け保持する構造となっている。
【先行技術文献】
【特許文献】
【０００３】
【特許文献１】  意匠登録１２９４０２８号公報
【特許文献２】  特開２００１−１７７９５８号公報
【発明の概要】
【発明が解決しようとする課題】
【０００４】  しかしながらこれら従来の支持具はケーブルが接する部分が金属であるため、ケーブル敷設や交換時にケーブルの被覆を傷つけてしまう虞があった。また金属製のため硬く、ケーブル取付け時にケーブル抱持部の先端部をこじ開ける様に変形させてケーブルを入れる必要があり作業性が悪かった。また力の加減によっては塑性変形を起こして元の形に戻らなくなってしまう可能性もあった。また、形鋼への取付けによる位置保持は支持金具の形状から成る挟持力により保持されており、形鋼の板厚が薄いものに変わった場合、挟持力が弱くなる傾向になり当初の取付け位置からずれる虞があった。本発明は、これらの問題点を解決するためになされたものである。
【課題を解決するための手段】
【０００５】
前記課題を解決するために、本発明では、電線ケーブルなどの長尺物を保持する合成樹脂製の保持手段と、金属製クリップ等の嵌着手段とを備えた配線クランプであって、前記保持手段と前記嵌着手段は係止手段により一体化し、前記嵌着手段は形鋼等のフレームに嵌着することにより位置決めされ、前記保持手段は、電線ケーブルなどの長尺物を囲うような形状であり、かつ電線ケーブルなどの長尺物が嵌着手段の金属部に接することを回避する位置になるように形成された固定部を有し、前記固定部の側面からは係止突起部が延出し、前記係止突起部は弾性を有する係止爪を有している。

【０００６】
前記嵌着手段には嵌着手段における基準となる平板部を有し、前記係止手段は前記平板部の面に山型状に突出形成され、前記山型状の側面が開口した係止孔を有し、前記係止孔に前記係止爪が嵌り込むことにより係止される構成であり、前記平板部の面の裏側には突起物が出ない構造を有し、前記係止爪の弾性を利用し前記係止孔から前記係止突起部を離脱させるように力を加えることにより前記保持手段を外すことが可能となる構造を有している。
【０００７】
前記嵌着手段には形鋼等のフレームから離脱する方向に作用する力に対して抗するように作用する逆止突起を有しており、
【０００８】
前記逆止突起は、複数から成り、それぞれ突起の高さ、および形鋼等のフレームに接する際の角度を違えて構成された一組以上の逆止突起からなる金属クリップ付樹脂製配線クランプを提供するものである。
【発明の効果】
【０００９】  本発明は以上のように構成されているので、電線ケーブル等の敷設、交換時に電線ケーブル等の被覆に傷をつける虞を無くすことができる。また形鋼等フレームの仕様（板厚）が変わっても形鋼等フレームに対する挟持力を維持できる。
【図面の簡単な説明】
【００１０】
【図１】  本発明の実施例に係る配線クランプの斜視図である。
【図２】  本発明の実施例に係る配線クランプのクリップ体の斜視図である。
【図３】  本発明の実施例に係る配線クランプの長尺物保持体の斜視図である。
【図４】  本発明の実施例に係る配線クランプの係合部の縦断面図である。
【図５】  本発明の実施例に係る配線クランプの使用状態を示す正面図である。
【図６】  本発明の実施例に係る配線クランプの取付状態を示す部分図である。
【図７】  本発明の実施例に係る配線クランプの取付状態を示す部分図である。
【図８】  従来のケーブル支持金具を示す図である。
【図９】  従来の長尺支持具を示す図である。
【図１０】  本発明の長尺物保持体の他の実施例を示す斜視図である。
【発明を実施するための形態】
【００１１】  以下、図面に基づいて本発明の実施形態を説明する。図１から図７は本発明の一実施形態を示している。
電線ケーブルなどの長尺物を保持する合成樹脂製の長尺物保持体１０と形鋼等のフレームに嵌着する金属製のクリップ体２０からなり、長尺物保持体１０とクリップ体２０は長尺物保持体１０に有する係止突起部１６とクリップ体２０に有する係止孔２７により連結係止される。
【００１２】  クリップ体２０は金属薄板の帯状からなり、基準となる平板部２１と平板部２１の一端は上方向斜めに折り曲げられた導入傾斜片２５を形成し、平板部２１の他端は平板部２１に対し下向き折り返し方向に湾曲する湾曲部２２が連設している。湾曲部２２は弾性を持っている。さらに湾曲部２２に続いて平板部２１に向かう方向に伸びる挟持部２３を有する。挟持部２３の先端部は平板部２１から離れる方向に斜めに折り曲げている傾斜片２４が設けられている。
【００１３】  傾斜片２４の折り曲げ基部の幅方向両端部には逆止突起２６が設けられている。逆止突起２６は挟持部２３の帯状幅方向端両側から切り込みを入れた後、帯状幅方向中央部分に対し折り曲げを行い、逆止突起２６の部分だけが曲げられずに残ることで形成される。
【００１４】  また前記逆止突起２６は、基本となる突起２６（ａ）と突起２６（ａ）の高さ（前記折り曲げ基部から突起先端までの高さ）に比べて突起の高さを低くした突起２６（ｂ）を設けている。さらに突起２６（ａ）は前記平板部２１から離れる方向に曲げを加えている。
【００１５】  クリップ体２０を形鋼等のフレームに装着する際、クリップ体２０は形鋼等のフレームの板厚に沿って押し込まれる。このとき湾曲部２２を中心に弾性的に変形し平板部２１と逆止突起２６との間隔が前記板厚に沿って広がり、所望の位置で位置決めされる。形鋼等のフレームから外した場合、湾曲部２２の変形が復元され元の状態に戻る。
【００１６】  逆止突起２６は、形鋼等フレームから離脱する方向に対し抗するように角度が付けられ形成されているが、形鋼等フレームの板厚が変わった場合、この抗するための相対角度が変わってきてしまう。そこで本発明の場合は、形鋼等のフレームの板厚が変わっても逆止効果を広く得るため、逆止突起２６に高さと角度の違う突起２６（ａ）と突起２６（ｂ）を設けている。図７に示すように板厚の厚い場合は突起２６（ａ）が主に効果を発揮し、図６に示すように板厚の薄い場合は突起２６（ｂ）が主に効果を発揮するように構成して挟持力を維持している。
【００１７】  前記平板部２１には挟持部２３側とは反対の面に山状突起２８が絞り加工で設けられ、その山状突起２８の両側面は係止孔２７として開口している。係合孔２７の形状は後述する長尺物保持体１０の係止突起部１６の断面形状と略合致する。
【００１８】  前記傾斜片２４と導入傾斜片２５には工具（マイナスドライバー）の先端が入ることが可能な大きさの貫通孔があいている。貫通孔に工具を引っ掛けて外方向に力を加えることにより湾曲部２２を弾性変形させ挟持部２３を広げ、形鋼等のフレームから取り外す目的で使われる。
【００１９】  長尺物保持体１０は基礎となる固定部１１を有し、固定部１１の上面の一端から伸びた弾性体１３と前記固定部１１の上面の他端から略逆Ｌ字状に伸びた保持体１９を有している。保持体１９には、弾性体１３の自由端と係合可能な位置に形成された係合部１４を備えている。前記弾性体１３は固定部１１との連結部付近に弾性体１３を略９０度内側に折り曲げ出来るようにするために切り欠き１７が設けられている。また、弾性体１３の自由端には鉤形係合歯１８が設けられている。
【００２０】  前記係合部１４は、弾性体１３の自由端を貫通挿入する挿入孔３０と、挿入孔３０に貫通挿入された自由端の鉤形係合歯１８と係合する鉤形状の係合片３１とを備えている。
この長尺物保持体１０にケーブル等を保持する際には、先ず、所望の本数のケーブルを固定部１１と保持体１９によって囲まれた空間に挿入した後、切り欠き１７を支点にして弾性体１３を略９０度内側に折り曲げ、弾性体１３の自由端を係合部１４に接近させる。次に弾性体１３の自由端を挿入孔３０に挿入するとともに、鉤形係合歯１８を係合片３１に係合してケーブルを保持する囲い形状を構成する。
一方、長尺物保持体１０からケーブルを取り外す際には、係合片３１と鉤形係合歯１８との係合を解除して、弾性体１３の自由端を挿入孔３０から抜き出せば良い。
【００２１】  前記固定部１１の側面１５にはクリップ体２０と係止される係止突起部１６が形成されている。係止突起部１６は側面１５の略中央部から延出した係止爪４０と側面１５の係止爪４０の両脇に形成されるばね突起４１で構成されている。係止突起部１６は前記クリップ体２０の山状突起２８と連結した状態でも山状突起２８の上面が固定部１１の上面より突出することがない位置に配置されている。係止爪４０はその先端中央部に、段部４６が突出形成されおり、この段部４６は係止爪４０の先端にいくにしたがって、序々にその厚さが薄くなる傾斜形状から成っている。また段部４６の下側には空間４７が設けられており、段部４６の先端のみが係止爪４０と繋がっている形状と成っている。この空間４７により段部４６が係合動作時に下方向に押し付けられる動きが可能になり、段部４６を含む係止爪４０が山状突起２８を通り抜けた後、段部４６は弾性的に復元し、係合が完了する。
また前記ばね突起４１は、前記山状突起２８の側面に対し弾性的に接触することにより長尺物保持体１０のクリップ体２０への取付けガタを吸収する機能を有している。
【００２２】  長尺物保持体１０の形状は本実施例に限るものではない。電線ケーブルの種類や太さ、本数などにより、さまざまな形状のものに変えることが出来る。たとえば他の実施例として図１０に示す長尺物保持体１００などが考えられる。図１０の実施例は断面が丸いケーブルをそのまま保持するような形態で、弾性体１３０の形状もケーブル断面形状に沿うように略丸形状に形成され、鉤形係合歯１８０と係合片３１０が噛み合うことで係合しケーブルを保持するものである。また係止突起部１６０を有し、クリップ体２０と連結係止される。
これら、さまざまな形状のものへの変更はケーブル等の施工後でも容易に可能である。
【符号の説明】
【００２３】１０、１００  長尺物保持体            ２６  逆止突起
１１  固定部                          ２７  係止孔
１３、１３０  弾性体                  ２８  山状突起
１４  係合部                          ３０  挿入孔
１５  側面                            ３１、３１０  係合片
１６、１６０  係止突起部              ４０  係止爪
１７  切り欠き                        ４１  ばね突起
１８、１８０  鉤形係合歯              ４６  段部
１９  保持体                          ４７  空間
２０  クリップ体
２１  平板部
２２  湾曲部
２３  挟持部
２４  傾斜片
２５  導入傾斜片
【図１】
0005696278.tif 000002
【図２】
0005696278.tif 000003
【図３】
0005696278.tif 000004
【図４】
0005696278.tif 000005
【図５】
0005696278.tif 000006
【図６】
0005696278.tif 000007
【図７】
0005696278.tif 000008
【図８】
0005696278.tif 000009
【図９】
0005696278.tif 000010
【図１０】
0005696278.tif 000011